(57)【特許請求の範囲】
【請求項１】
携帯可能な電源と、
挿抜可能な記録メディアに情報を記録する記録手段と、
前記記録メディアのファイナライズ処理を行うファイナライズ処理手段と、
前記電源の残量を検出する検出手段とを有し、
前記検出手段にて前記電源が所定値の残量を有していると判断した時に、前記記録メディアへの前記ファイナライズ処理手段の動作を実施することを特徴とする情報記録装置。
【請求項２】
携帯可能な第１の電源と、
外部接続される第２の電源の外部電源端子と、
挿抜可能な記録メディアに情報を記録する記録手段と、
前記記録メディアのファイナライズ処理を行うファイナライズ処理手段と、
前記外部電源端子に第２の電源が供給されていることを検出する検出手段とを有し、
前記検出手段にて前記第２の電源が供給されている時に、前記記録メディアへの前記ファイナライズ処理手段の動作を実施することを特徴とする情報記録装置。
【請求項３】
携帯可能な第１の電源と、
外部接続される第２の電源の外部電源端子と、
挿抜可能な記録メディアに情報を記録する記録手段と、
前記記録メディアのファイナライズ処理を行うファイナライズ処理手段と、
前記外部電源端子に第２の電源が供給されていることを検出する検出手段とを有し、
前記検出手段にて前記第２の電源が供給されていないときに、前記記録メディアへの前記ファイナライズ処理手段の動作を実施しないことを特徴とする情報記録装置。
【請求項４】
携帯可能な第１の電源と、
外部接続される第２の電源の外部電源端子と、
挿抜可能な記録メディアに情報を記録する記録手段と、
前記記録メディアのファイナライズ処理を行うファイナライズ処理手段と、
前記第１の電源の残量を検出する第１の検出手段と、
前記外部電源端子に第２の電源が供給されていることを検出する第２の検出手段とを有し、
前記第１および第２の検出手段にて前記第１および第２の電源が供給可能な状態に有る時に、前記記録メディアへの前記ファイナライズ処理手段の動作を実施することを特徴とする情報記録装置。
【請求項５】
携帯可能な第１の電源と、
外部接続される第２の電源の外部電源端子と、
挿抜可能な記録メディアに情報を記録する記録手段と、
前記記録メディアのファイナライズ処理を行うファイナライズ処理手段と、
前記第１の電源の残量を検出する第１の検出手段と、
前記外部電源端子に第２の電源が供給されていることを検出する第２の検出手段とを有し、
前記第１または第２の検出手段にて前記第１または第２の電源が供給可能な状態に有る時に、前記記録メディアへの前記ファイナライズ処理手段の動作を実施することを特徴とする情報記録装置。
【請求項６】
撮像手段と、
前記撮像手段の消費電力を切り換える切換手段と、
挿抜可能な記録メディアに前記撮像手段からの画像情報を記録する記録手段と、
前記記録メディアのファイナライズ処理を行うファイナライズ処理手段とを有し、
前記ファイナライズ処理手段によるファイナライズ処理期間は少なくとも前記切換手段により前記撮像手段の消費電力を低減させることを特徴とする情報記録装置。
【請求項７】
携帯可能な電源と、
挿抜可能な記録メディアに情報を記録する記録手段と、
前記記録メディアのファイナライズ処理を行うファイナライズ処理手段と、
前記電源の残量を検出する検出手段とを有し、
前記ファイナライズ処理手段にてファイナライズ処理中に前記検出手段にて前記電源が所定値の残量以下となったときに、前記記録メディアへの前記ファイナライズ処理手段の動作を停止することを特徴とする情報記録装置。
【請求項８】
携帯可能な第１の電源と、
外部接続される第２の電源の外部電源端子と、
挿抜可能な記録メディアに情報を記録する記録手段と、
前記記録メディアのファイナライズ処理を行うファイナライズ処理手段と、
前記第１の電源の残量を検出する第１の検出手段と、
前記外部電源端子に第２の電源が供給されていることを検出する第２の検出手段とを有し、
前記ファイナライズ処理手段にてファイナライズ処理中に前記第１または第２の検出手段にて前記第１または第２の電源が所定値以下となったときに、前記記録メディアへの前記ファイナライズ処理手段の動作を停止することを特徴とする情報記録装置。
【請求項９】
前記請求項７、８のいずれか一項に記載の情報記録装置において、
前記ファイナライズ処理手段は少なくともリードアウトエリアの記録と、記録管理エリアの記録と、リードインエリアの記録からなり、
前記ファイナライズ処理の停止は、前記リードアウトエリアの記録中に行うことを特徴とする情報記録装置。
【請求項１０】
挿抜可能な記録メディアに情報を記録する記録手段と、
前記記録メディアのファイナライズ処理を行うファイナライズ処理手段とを有し、
前記記録メディアを再生して、リードアウトデータが記録されているリードアウトエリアが所定の範囲まで記録されていないときに、記録してあるリードアウトデータに続けて新たに所定の範囲までリードアウトデータを記録することを特徴とする情報記録装置。
【請求項１１】
携帯可能な第１の電源と、
外部接続される第２の電源の外部電源端子と、
挿抜可能な記録メディアに情報を記録する記録手段と、
少なくとも前記情報を表示する表示手段と、
前記記録メディアのファイナライズ処理を行うファイナライズ処理手段と、
前記ファイナライズ処理の動作を操作する操作入力手段と、
前記外部電源端子に第２の電源が供給されていることを検出する検出手段とを有し、
前記操作入力手段にてファイナライズ処理の動作を指示され、且つ前記検出手段にて前記第２の電源が供給されていないときに、前記外部電源端子に第２の外部電源を接続するように前記表示手段に表示することを特徴とする情報記録装置。
【請求項１２】
レンズユニット手段と、
該レンズユニットを介して得られた光信号から電気信号を得る撮像手段と、
挿抜可能な記録メディアに前記撮像手段からの映像情報を記録する記録手段と、
前記記録メディアのファイナライズ処理を行うファイナライズ処理手段とを有し、
前記記録手段の動作時には前記記録メディアへの記録を間欠的に行い、前記ファイナライズ処理手段による少なくともリードアウトデータ記録を連続的に行うことを特徴とする情報記録装置。
【請求項１３】
レンズユニット手段と、
該レンズユニットを介して得られた光信号から電気信号を得る撮像手段と、
挿抜可能な記録メディアに前記撮像手段からの映像情報を記録する記録手段と、
前記記録メディアのファイナライズ処理を行うファイナライズ処理手段とを有し、
前記記録手段の動作に対して前記ファイナライズ処理手段による少なくともリードアウトデータ記録動作の方が前記記録メディアへの記録データ速度を早くすることを特徴とする情報記録装置。
【請求項１４】
請求項１乃至１３のいずれか一項に記載の情報記録装置が携帯型カメラ一体型記録装置であり、前記記録メディアがディスクであることを特徴とする情報記録装置。
【請求項１５】
請求項１乃至１３のいずれか一項に記載の情報記録装置が携帯型情報処理装置であり、前記記録メディアがディスクであることを特徴とする情報記録装置。
【発明の詳細な説明】
【０００１】
【発明の属する技術分野】
本発明は、追記型記録ディスクや書き換え回数が制限された書換型記録ディスク等のディスク記録媒体の記録装置、特に、そのファイナライズ処理手段およびそれを用いた情報記録装置に関する。
【０００２】
【従来の技術】
従来、映像情報をディスク形状の記録メディアに記録する方法として、リアルタイムでビデオ記録をし、記録後簡単に編集処理ができるアプリケーションとして、リアルタイムのビデオレコーディングフォーマットがある。これは、ＴＶ放送等が放送と同時に録画でき、また、録画後の編集、消去が安易にできる規格となっている。
【０００３】
一方、市販ＤＶＤプレーヤで見ることを前提とした市販ソフトとに採用されているビデオフォーマットは、記録前に編集処理することを前提に考えられた為に、前記ビデオレコーディングフォーマットとは異なる。このため、前記ビデオレコーディングフォーマットで記録されたディスクは市販のＤＶＤプレーヤで見ることが出来ないという問題がある。
【０００４】
そこで、簡易フォーマットの形式で一旦リアルタイムで情報を記録して置き、最後にファイナライズ処理を行うことで上記標準のビデオフォーマットに準拠した記録管理データを再記録する方法が提案されている。
【０００５】
なお、これらに関連する装置は、たとえば、特開２００１-１４８１６６や特開平１１−２３８３１０等が挙げられる。
【０００６】
【発明が解決しようとする課題】
上記従来技術は、本ディスク記録装置を携帯機器に採用した場合の電源供給手段について考慮されていなかった。たとえば、ＤＶＤ−ＲやＤＶＤ−ＲＷなどのディスクのファイナライズ処理では、その記録ディスクにわずかな情報しか記録されていない場合、ＤＶＤプレーヤでの再生を考慮してその空き領域を所定のディスク位置まで記録する必要がある。この時間は数分以上必要なことがあり、携帯機器に装着されたバッテリーではファイナライズ処理が完了しないという問題が生じることがある。
【０００７】
本発明の目的は、情報記録装置の電源がファイナライズ処理に充分なバッテリー残量を有しているかまたは他の電源が供給されていることを確認することや、この期間の装置の省電力化を図ることや、この期間に電源供給不足が生じた場合の対応策を実現することになる。
【０００９】
また、ファイナライズ処理時間を短縮する装置を提供する。
【００１０】
さらには、これらのディスク装置をカメラ一体型記録装置や携帯型情報処理装置に適用した装置を提供する。
【００１１】
【課題を解決するための手段】
上記目的を達成する為に、情報記録装置において、
携帯可能な電源と挿抜可能な記録メディアと、前記記録メディアに情報を記録する記録手段と、前記記録メディアのファイナライズ処理を行うファイナライズ処理手段と、前記電源の残量を検出する検出手段とを有し、前記検出手段にて前記電源が所定値の残量を有していると判断した時に、前記記録メディアへの前記ファイナライズ処理手段の動作を実施したものである。
【００１３】
また、携帯可能な第１の電源と外部接続される第２の電源の外部電源端子と、挿抜可能な記録メディアと、前記記録メディアに情報を記録する記録手段と、前記記録メディアのファイナライズ処理を行うファイナライズ処理手段と、前記外部電源端子に第２の電源が供給されていることを検出する検出手段とを有し、前記検出手段にて前記第２の電源が供給されている時に、前記記録メディアへの前記ファイナライズ処理手段の動作を実施したものである。
【００１４】
また、携帯可能な第１の電源と外部接続される第２の電源の外部電源端子と、挿抜可能な記録メディアと、前記記録メディアに情報を記録する記録手段と、前記記録メディアのファイナライズ処理を行うファイナライズ処理手段と、前記外部電源端子に第２の電源が供給されていることを検出する検出手段とを有し、前記検出手段にて前記第２の電源が供給されていないときに、前記記録メディアへの前記ファイナライズ処理手段の動作を実施しないようにしたものである。
【００１５】
また、携帯可能な第１の電源と外部接続される第２の電源の外部電源端子と、挿抜可能な記録メディアと、前記記録メディアに情報を記録する記録手段と、前記記録メディアのファイナライズ処理を行うファイナライズ処理手段と、前記第１の電源の残量を検出する第１の検出手段と、前記外部電源端子に第２の電源が供給されていることを検出する第２の検出手段とを有し、前記第１および第２の検出手段にて前記第１および第２の電源が供給可能な状態に有る時に、前記記録メディアへの前記ファイナライズ処理手段の動作を実施したものである。
【００１６】
また、携帯可能な第１の電源と外部接続される第２の電源の外部電源端子と、挿抜可能な記録メディアと、前記記録メディアに情報を記録する記録手段と、前記記録メディアのファイナライズ処理を行うファイナライズ処理手段と、前記第１の電源の残量を検出する第１の検出手段と、前記外部電源端子に第２の電源が供給されていることを検出する第２の検出手段とを有し、前記第１または第２の検出手段にて前記第１または第２の電源が供給可能な状態に有る時に、前記記録メディアへの前記ファイナライズ処理手段の動作を実施したものである。
【００１７】
上記目的を達成する為に、撮像手段と、前記撮像手段の消費電力を切り換える切換手段と、挿抜可能な記録メディアと、前記記録メディアに前記撮像手段からの画像情報を記録する記録手段と、前記記録メディアのファイナライズ処理を行うファイナライズ処理手段とを有し、前記ファイナライズ処理手段によるファイナライズ処理期間は少なくとも前記切換手段により前記撮像手段の消費電力を低減させるようにしたものである。
【００１８】
上記目的を達成する為に、携帯可能な電源と挿抜可能な記録メディアと、前記記録メディアに情報を記録する記録手段と、前記記録メディアのファイナライズ処理を行うファイナライズ処理手段と前記電源の残量を検出する検出手段とを有し、前記ファイナライズ処理手段にてファイナライズ処理中に前記検出手段にて前記電源が所定値の残量以下となったときに、前記記録メディアへの前記ファイナライズ処理手段の動作を停止したものである。
【００１９】
また、携帯可能な第１の電源と外部接続される第２の電源の外部電源端子と、挿抜可能な記録メディアと、前記記録メディアに情報を記録する記録手段と、前記記録メディアのファイナライズ処理を行うファイナライズ処理手段と、前記第１の電源の残量を検出する第１の検出手段と、前記外部電源端子に第２の電源が供給されていることを検出する第２の検出手段とを有し、前記ファイナライズ処理手段にてファイナライズ処理中に前記第１または第２の検出手段にて前記第１または第２の電源が所定値以下となったときに、前記記録メディアへの前記ファイナライズ処理手段の動作を停止したものである。
【００２０】
さらに、前記ファイナライズ処理手段は少なくともリードアウトエリアの記録と、記録管理エリアの記録と、リードインエリアの記録からなり、前記ファイナライズ処理の停止は、前記リードアウトエリアの記録中に行うようにしたものである。
【００２１】
また、挿抜可能な記録メディアと、前記記録メディアに情報を記録する記録手段と、前記記録メディアのファイナライズ処理を行うファイナライズ処理手段とを有し、前記記録メディアを再生して、リードアウトデータが記録されているリードアウトエリアが所定の範囲まで記録されていないときに、記録しているリードアウトデータに続けて新たに所定の範囲までリードアウトデータを記録したものである。
【００２２】
上記目的を達成する為に、携帯可能な第１の電源と外部接続される第２の電源の外部電源端子と、挿抜可能な記録メディアと、前記記録メディアに情報を記録する記録手段と、少なくとも前記情報を表示する表示手段と、前記記録メディアのファイナライズ処理を行うファイナライズ処理手段と、前記ファイナライズ処理の動作を操作する操作入力手段と、前記外部電源端子に第２の電源が供給されていることを検出する検出手段とを有し、前記操作入力手段にてファイナライズ処理の動作を指示され、且つ前記検出手段にて前記第２の電源が供給されていないときに、前記外部電源端子しに第２の外部電源を接続するように前記表示手段に表示したものである。
【００２８】
上記目的を達成する為に、レンズユニット手段と、該レンズユニットを介して得られた光信号から電気信号を得る撮像手段と、挿抜可能な記録メディアと、前記記録メディアに前記撮像手段からの映像情報を記録する記録手段と、前記記録メディアのファイナライズ処理を行うファイナライズ処理手段とを有し、前記記録手段の動作時には前記記録メディアへの記録を間欠的に行い、前記ファイナライズ処理手段による少なくともリードアウトデータ記録を連続的に行うようにしたものである。
【００２９】
また、レンズユニット手段と、該レンズユニットを介して得られた光信号から電気信号を得る撮像手段と、挿抜可能な記録メディアと、前記記録メディアに前記撮像手段からの映像情報を記録する記録手段と、前記記録メディアのファイナライズ処理を行うファイナライズ処理手段とを有し、前記記録手段の動作に対して前記ファイナライズ処理手段による少なくともリードアウトデータ記録動作の方が前記記録メディアへの記録データ速度を早くしたものである。
【００３０】
さらに、前記情報記録装置のファイナライズ処理回路を設けたディスク記録装置を携帯型カメラ一体型記録装置に適用したものである。
【００３１】
さらに、前記情報記録装置のファイナライズ処理回路を設けたディスク記録装置を携帯型情報処理装置に適用したものである。
【００３２】
【発明の実施の形態】
以下、本発明の実施例を図１から図３により説明する。図１はディスク記録媒体を用いたカメラ一体型記録再生装置を示すものである。図１において、１はマイク、２はオーディオ入力処理回路、３はオーディオ出力回路、４は音声出力端子、５はレンズユニット、６は撮像センサー（ＣＣＤ）、７はカメラ映像信号処理回路、８は映像／音声の圧縮／伸張処理回路、９は映像表示／出力処理回路、１０は表示手段（ＬＣＤ）、１１はレンズユニット５のドライバ、１２はデジタル音声／映像入力端子、１３はデジタルインターフェース処理回路、１４はデジタル出力端子、１５はＤ−ＲＡＭ、１６は装置全体の制御マイコン、１７はフラッシュメモリ（Ｆ−ＲＡＭ）、１８は装置の操作スイッチ（ＳＷ），１９はインターフェース回路、２０は外部電源入力端子、２１は充電回路、２２はバッテリー、２３は電源回路（ＤＣ−ＤＣコンバータ）、２４はディスクメディアの信号／制御処理回路、２５はＤ−ＲＡＭ、２６はＳ−ＲＡＭ、２７はフラッシュメモリ（Ｆ−ＲＡＭ）、２８は記録再生部の制御マイコン、２９は記録回路、３０は再生回路、３１はメディアへ記録再生を行うピックアップ、３２はディスクメディア、３３はスピンドルモータ、３４はピックアップ３１をディスクメディア上を移動させる送りモータ、３５はスピンドルモータ３３と送りモータ３４とピックアップ３１内のフォーカス方向およびトラッキング方向のアクチュエータ（図示せず）をそれどれ駆動するアクチュエータドライバ、３６は映像出力端子、３７はスイッチ回路、３８はカメラ部、３９は出力部、４０は制御部、４１は記録再生部をそれぞれ示す。
【００３３】
ここで、まずカメラ部３８の動作を説明する。画像情報はドライバ１１によって駆動されるレンズユニット５を介して、撮像センサー６にて電気信号に変換され、カメラ映像信号処理回路７にて映像信号に変換される。一方、音声はマイク１を介して、オーディオ入力処理回路２にて音声信号に変換される。
【００３４】
次に、出力部３９の動作を説明する。上記の信号は映像／音声の圧縮／伸張処理回路８にて、デジタル映像／音声圧縮信号に変換される。圧縮方式としては動画を扱うＭＰＥＧ方式や静止画を扱うＪＰＥＧ方式などを実施する。また、デジタル音声／映像入力端子１２より、外部からの入力情報を切り替えて扱う事も出来る。出力手段としては、前記映像／音声の圧縮／伸張処理回路８から音声信号はオーディオ出力回路３を介して音声出力端子４に出力される。また、映像信号は映像表示／出力処理回路９を介して表示手段１０にて表示すると同時に、映像出力端子３６より出力される。さらに、デジタルインターフェース処理回路１３を介してデジタル出力端子１４よりデジタル映像／音声信号を出力する。ここでは、映像／音声の圧縮／伸張処理回路８を介して入力信号と出力信号を説明したが、これらの出力信号は必ずしも音声信号および映像信号とも圧縮／伸張処理を施す必要はないことは言うまでもない。
【００３５】
次に、制御部４０の動作を説明する。本装置は使用者が操作スイッチ１８を操作することにより動作する。操作スイッチ１８の出力は装置全体の制御マイコン１６に入力される。制御マイコン１６はドライバ１１を介してレンズユニット５を制御して被写体を撮像センサー６上に希望の画像を捕らえる。また、映像／音声の圧縮／伸張処理回路８にて、動画や静止画をデジタル信号に圧縮してＤ−ＲＡＭ１５に一時記憶するように制御する。これらの信号は、インターフェース回路１９を介して、ディスク型記録再生装置の信号／制御処理回路２４へ送られる。このインターフェース回路としては、たとえばＡＴＡＰＩ規格等が採用される。また、充電回路２１を監視して電源状態を把握したり、スイッチ回路３７を制御してカメラ部の電源処理を行う。また、フラッシュメモリ１７は、制御マイコン１６を動作するプログラム等を記憶するメモリである。Ｄ−ＲＡＭ１５は映像／音声の圧縮／伸張処理回路８の処理データや制御マイコン１６の処理データを一時記憶するメモリである。
【００３６】
最後に、記録再生部４１の動作を説明する。記録再生部４１は、インターフェース回路１９から入力された動画または静止画情報を信号／制御処理回路２４とＤ−ＲＡＭ２５にてディスクメディアに応じた記録フォーマットに変換し、記録回路２９、ピックアップ３１を介してディスクメディア３２に記録する。また、このディスクメディア３２とピックアップ３１の相対位置は、ピックアップ３１を時分割にて再生動作して、ディスクメディア３２上から予め書き込まれた位置情報を再生回路３０を介して検出し、信号／制御処理回路２４および制御マイコン２８にて処理し、アクチュエータドライバ３５を介して、各アクチュエータであるスピンドルモータ３３と送りモータ３４および図示していないがピックアップ３１内にあるフォーカス及びトラッキングを制御するアクチュエータを駆動する。ちなみに、Ｓ−ＲＡＭ２６およびフラッシュメモリ２７は制御マイコン２８の演算データの一時記憶やプログラム等を記憶する。
【００３７】
また、本装置は、外部電源入力端子２０から供給される電源またはこの電源にて充電回路２１を活用して充電されたバッテリー２２の電源を電源回路２３にて必要な各部への電源を供給している。
【００３８】
以上、記録動作について述べたが、再生時にはほぼこれらの反対の動作が行われる。すなわち、ディスクメディア３２からピックアップ３１および再生回路３０を介してディスクメディア３２上の情報を検出し、信号／制御処理回路２４および制御マイコン２８によりディスクメディアに応じた記録フォーマットを復調し、インターフェース回路１９を介して映像／音声の圧縮／伸張処理回路８へ戻し、ここで、圧縮された映像信号および音声信号を伸張して、映像表示／出力処理回路９やオーディオ出力回路３を介して表示手段１０および音声出力端子４と映像出力端子３６に出力する。また、伸張する前の情報をデジタルインターフェース処理回路１３を介してデジタル出力端子１４に出力する。
【００３９】
さらに、電源部として、外部電源入力端子２０を有し、外部からの電源供給を可能としている。また、この外部電源入力端子２０から供給された電源によりバッテリー２２を充電回路２１により充電する。これにより、外部電源が供給されているときは、この電力を電源回路２３を介して各ブロックに供給し、外部電源が接続されていないときには、バッテリー２２からの電力を電源回路２３を介して各ブロックへ供給する。
【００４０】
ここで、映像信号を扱うディスクメディア３２としては、たとえば、表１に示すようなものがある。再生専用としてＤＶＤ−ＲＯＭ、１回のみの追記型としてＤＶＤ−Ｒ、書き換え可能なメディアとしてＤＶＤ−ＲＷおよびＤＶＤ−ＲＡＭがある。そして、記録フォーマットとしては、たとえば、ビデオフォーマット（DVD Video format）とビデオレコーディングフォーマット（Video recording format）が提案されている。
【００４１】
【表１】
0003539414.tif 000002
【００４２】
ビデオフォーマットは、映画等の事前に充分に編集処理された映像情報を、たとえばマルチアングルやパレンタル再生、ランダム・シャッフル再生などの独自の機能を実現したり、早送り、巻き戻しなどの特殊再生をサポートするための強力な情報データを持っている。
【００４３】
また、ビデオレコーディングフォーマットは、この書き換え型ディスクを前提に編集処理を経ずにリアルタイムでビデオ信号記録をし、記録後簡単に編集処理ができるアプリケーションを考慮している。しかし、このビデオレコーディングフォーマットで記録された信号は、先のビデオフォーマットで記録された再生専用ディスクを再生する為の多くのＤＶＤプレーヤでは再生できないものが多いと言う問題がある。
【００４４】
この問題は、特にビデオカメラにおいてディスクメディアに記録する際に、書き換え型ディスクであるＤＶＤ−ＲＷやＤＶＤ−ＲＡＭでは、一旦、ビデオレコーディングフォーマットで記録した後、編集作業を行い再びビデオフォーマットに変換して再記録する事で解決できるが、１回のみの追記型ディスクであるＤＶＤ−Ｒディスクではビデオレコーディングフォーマットで１度記録してしまうと、再度書き換える事が出来ずそのディスクは上記多くのＤＶＤプレーヤで再生する事は出来ない。
【００４５】
そこで、ＤＶＤ−Ｒディスクでは、簡易フォーマットの形式で一旦リアルタイムで情報を記録して置き、最後にファイナライズ処理を行うことで上記標準のビデオフォーマットに準拠した記録管理データを再記録する方法を採用する。以下、ＤＶＤ−Ｒディスクを例に説明するが、ＤＶＤ−ＲＷやＤＶＤ−ＲＡＭディスクに付いてももちろん同様に処理が可能であることは言うまでもない。
【００４６】
図２に、ＤＶＤディスクにおけるデータ構造を模式的に示す。記録と再生が可能なＤＶＤでは、管理エリアは、Ｒ−インフォメーションエリア（R-Information Area）とリードインエリア（Lead-in Area）及びボーダーアウト／リードアウトエリア（Border-out/Lead-out Area、以降、リードアウトエリアと総称する。）から成り、更にＲ−インフォメーションエリアは、パワーキャリブレーションエリア（Power Calibration Area）とレコーディングマネージメントエリア（Recording Management Area）で構成されているが、リードインエリアとリードアウトエリアの内容を再生専用ＤＶＤ−ＲＯＭと等しくすることによって、再生のコンパチビリティを確保している。
【００４７】
そして、データ記録エリアに新規のデータを記録したり、データ記録エリアに記録されているデータを編集する等の記録を伴う処理が行われる度に、これらの管理エリアに所定の記録管理データを再書き込みすることによって、記録状態の管理を行っている。
【００４８】
図２において、本ディスクには、クランピングエリアＣＡを中心としてグルーブ（Groove）とランド（Land）が螺旋状に形成されており、グルーブとランドには、物理アドレスを規定するためのウォブル（Wobble）とランドプリピット（Land Pre-pit）がそれぞれ形成されている。
【００４９】
上記のウォブルとランドプリピットの情報に基づいて、情報記録再生装置のピックアップがウォブルに対して位置合わせ制御されて、グルーブへの情報記録（データ書き込み）とグルーブからの情報再生（データ読み取り）が行われるようになっている。
【００５０】
上記のデータ書き込み又はデータ読み取りが行われるグルーブには、半径方向内側（クランピングエリアＣＡ側）から半径方向外側に向けてＲ−インフォメーションエリア（R-Information Area：ＲＩＡ）とインフォメーションエリア（Information Area：ＩＡ）が割り当てられている。
【００５１】
Ｒ−インフォメーションエリアＲＩＡは、パワーキャリブレーションエリア（Power Calibration Area：ＰＣＡ）とレコーディングマネージメントエリア（Recording Management Area：ＲＭＡ）で構成され、インフォメーションエリアＩＡは、リードインエリア（Lead-in Area：ＬＩＡ）とデータ記録エリア（Data Recordｔable Area：ＤＲＡ）及びリードアウトエリア（Lead-out Area：ＬＯＡ）で構成されている。
【００５２】
次に、図３を参照して、ファイナライズ処理の動作を説明する。
同図において、ユーザーが操作スイッチ１８を操作すると、ファイナライズ処理の動作が開始する。まず、ステップ１０２において、データ記録エリアＤＲＡ内にすでに記録されているメインデータの最後尾、すなわちリードアウトエリアＬＯＡの開始端のアドレスを検出する。更に、標準フォーマットにおける所定の範囲のリードアウトエリアＬＯＡが記録される。
【００５３】
次に、ステップ１０３において、レコーディングマネージャエリアＲＭＡに記録管理データＤＣＷが記録される。
【００５４】
次に、ステップ１０４において、標準フォーマットに準拠してリードインエリアＬＩＡの所定のエリアに、ファイナライズされたことを示す所定データとしての記録管理データＤＣＷが記録される。
【００５５】
このように、ファイナライズ処理が行われると、装填されたディスク３２が簡易フォーマットであった場合には、自動的に標準フォーマットに準拠して記録管理データＤＣＷが記録されるため、読み出し専用ＤＶＤとのコンパチビリティが確保される。
【００５６】
しかし、ファイナライズ処理は、上記した如くすでに記録された領域が少ないとき、所定の範囲（たとえば、直径７０ｍｍ）までリードアウトエリアＬＯＡを記録する。このため、条件によっては十数分ものファイナライズ処理時間を要することが考えられる。
【００５７】
ここで、本発明のひとつの特徴を示す一実施例を図４を用いて説明する。本装置では、上記操作スイッチ１８を操作してファイナライズ処理を開始する際に、図４に示す如く、まず、ステップ１１２において、バッテリー２２の残量を判定する。ここで、ファイナライズ処理に充分な残量があると判定した場合には、ステップ１１４にてファイナライズ処理を実施するが、ファイナライズ処理を実施するに不十分と判定されたらステップ１１３にて外部電源の接続をユーザーへ伝える為に表示手段１０にてこのことを表示する。上記残量判定は、たとえば、通常バッテリー端子の電圧値を用いる。すなわち、バッテリー残量が無くなって来ると徐々に電圧が低下してくることを利用して残量を判定する。もちろん、他の方法を用いても良い。
【００５８】
また、他の一実施例を図５を用いて説明する。本装置では、上記操作スイッチ１８を操作してファイナライズ処理を開始する際に、図５に示す如く、まず、ステップ１２２において、外部電源が接続されているか否かを判定する。この判定は、外部電源が、外部電源入力端子２０に接続されていることを充電回路２１にて検出しこの結果を制御マイコン１６に与えることにより行う。外部電源があるときには、ステップ１２４にてファイナライズ処理を実施するが、外部電源が接続されていないと判定されたらステップ１２３にて外部電源の接続をユーザーへ伝える為に表示手段１０にてこのことを表示する。
【００５９】
また、他の一実施例を図６を用いて説明する。本装置では、上記操作スイッチ１８を操作してファイナライズ処理を開始する際に、図６に示す如く、まず、ステップ１３２において、バッテリーおよび外部電源が接続されているか否かを判定する。この判定は、バッテリー２２および外部電源入力端子２０に外部電源が接続されていることを充電回路２１にて検出しこの結果を制御マイコン１６に与えることにより行う。バッテリーおよび外部電源があるときには、ステップ１３４にてファイナライズ処理を実施するが、バッテリーおよび外部電源が接続されていないと判定されたらステップ１３３にてバッテリーおよび外部電源の接続をユーザーへ伝える為に表示手段１０にてこのことを表示する。
【００６０】
本実施例では、バッテリーおよび外部電源の両方にて本装置に電源が供給されている場合にのみファイナライズ処理を実施するもので、すなわち、一方の電源のみではファイナライズ処理を実施しないことで、ファイナライズ処理中に、一方の電源が何らかの理由により遮断されてもより安全に処理を完了できるというメリットを有するものである。
【００６１】
また、他の一実施例を図７を用いて説明する。本装置では、上記操作スイッチ１８を操作してファイナライズ処理を開始する際に、図７に示す如く、まず、ステップ１４２において、外部電源が接続されているか否かを判定する。外部電源があるときには、ステップ１４５にてファイナライズ処理を実施する。一方、外部電源が無いときには、ステップ１４３にてバッテリー２２の残量を判定する。ここで、残量が有ると判定されれば、ステップ１４５にてファイナライズ処理を実施する。残量がないと判定されれば、ステップ１４４にて外部電源の接続をユーザーへ伝える為に表示手段１０にてこのことを表示する。
【００６２】
上記図４、図６および図７などにおいて、バッテリー２２の電源にてファイナライズ処理を実施する際に、あらかじめファイナライズ処理時間およびバッテリー残量時間の表示例を図８、９に示す。図８は、ファイナライズ処理に要する時間とバッテリー残量時間を表示し、ユーザーに充分なバッテリー残量マージンが有るかどうかの判断ができるようにする。また、この時間は、ファイナライズ処理中も表示し、処理完了までの残時間を表示する効果も有する。また、図９は、別な表示例を示す。バッテリー残量時間を定量的に時間で表現できないときに、イメージとしてバッテリー残量を表示する例を示している。
【００６３】
次に、本発明の別な特徴を図１を用いて説明する。上記ファイナライズ処理期間においては、特にバッテリー残量を有効に使用する意味でも、他の新たな動作を受け付けないようにすることが考えられる。たとえば、カメラ部３８のレンズユニット５を駆動するドライバ１１への制御マイコン１６からの制御信号は禁止する。通常、このレンズユニット５は操作スイッチ１８からのテレ／ワイドなどの操作により制御マイコン１６、ドライバ１１を介して制御されているが、制御マイコン１６にて上記ファイナライズ処理を開始した場合には、この処理が終了するまで、たとえば上記のテレ／ワイドなどのカメラ部の動作を禁止する。このことにより、ファイナライズ処理期間にカメラ部の電力消費が増加しないように制限できるというメリットが得られる。
【００６４】
また、同様な意味において、積極的に上記ファイナライズ処理期間はカメラ部の全体またはその一部の電源を供給しないようにする。この実現は、制御マイコン１６によりスイッチ回路３７を切り換えることで実現できる。
【００６５】
次に、本発明の別な一実施例を図１および図１０を用いて説明する。ファイナライズ処理を開始した後、色々な理由でどうしても途中で中断しなければならない状態になることが考えられる。たとえば、誤ってファイナライズ処理を開始してしまったり、すぐにカメラ録画を行いたくなったり、または電源の供給が停止してしまうことも考えられる。このような場合に処理として、その一例を図１０にて説明する。ステップ１５２にてリードアウトデータ記録の開始端を検出した後、ステップ１５３にて、所定量を単位として、リードアウトエリアのデータを記録する。そして、所定量を単位として記録が完了するたびに、ステップ１５４にて、たとえばバッテリー残量を検出し、判定する。ここで所定の残量（所定値以上の電圧値）が有れば、次のステップ１５５にて記録したリードアウトエリアが所定の範囲に到達しているかどうかを判定する。到達していなければ再び上記ステップ１５３に戻って既に記録したリードアウトエリアのデータに続けて所定量の単位で記録を再開する。ステップ１５５で、記録したリードアウトデータが所定のリーダアウトエリアに記録完了していた場合には、ステップ１５６にてディスクの記録管理データを記録し、ステップ１５７にてリードインエリアを記録する。
ここで、ディスク管理データおよびリードインエリアはあらかじめ決められた領域であり記録時間も数十秒程度とリードアウトエリアに比較して充分少ない時間である。
【００６６】
ステップ１５４にて、バッテリー残量が無い（所定値以下の電圧値）と判定された場合には、ステップ１５８へ飛んでファイナライズ処理を中断して終了する。
【００６７】
図１０では、ステップ１５４として、バッテリー残量の判定を示したが、このステップは図６における外部電源接続有無の判定で有っても良い。また、本装置に対してユーザーが操作スイッチ１８を使用してファイナライズ処理の中断指令を入力したか否かを判定する処理をステップ１５４に適用しても同様の効果が得られる。
【００６８】
次に、このような状態で中断されたディスク３２に対して、再度ファイナライズ処理を実施する方法について説明する。本装置では、上記操作スイッチ１８を操作してファイナライズ処理を開始したとき、図１０に示す如くステップ１５２にて、リードアウトデータ記録の開始端を検出する。このステップ１５２によって、途中でファイナライズ処理が中断されたディスク３２に対しても、そのリードアウトエリアの既に記録されたリードアウトデータの最後の位置を検出し、これに続けて新たにリードアウトデータを記録開始することで、ファイナライズ処理を完成させる事が出来る。
【００６９】
次に、ファイナライズ処理を行う契機に関する一実施例を図1および図１１〜１３を用いて説明する。ユーザーがファイナライズ処理を実行するときは、操作スイッチ１８より本装置に指示を与えるが、このきっかけとして、たとえば、本装置からディスク３２を取り出す操作が行われたときがある。すなわち、操作スイッチ１８からディスク３２を取り出すために、イジェクト釦（詳細は図示せず）を操作したときに、図１２に示すステップ１６２により図１１に示すような表示を表示手段１０に表示し、ユーザーにファイナライズ処理を実行するかどうかを選択させる。このとき、ディスク３２の記録済み容量（または時間など）や残容量（または時間など）を表示して、ユーザーの判断材料を提供する。
【００７０】
この表示は、特に、ディスク３２の記録容量が残り少ない状態にあるときに有効であり、本装置でイジェクト釦（図示せず）を操作したときに、図１３に示すステップ１７２により、ディスク３２の残容量を判定し、残容量が所定値以上であればステップ１７４にてイジェクト処理動作を実行し、残容量が所定値未満であればステップ１７３にて、図１１を表示してファイナライズ処理の実行を促す構成とする。ここで、ディスク３２の残容量は、制御マイコン１６がインターフェース回路１９および信号／制御処理回路２４を介して記録再生部４１の制御マイコン２８からディスク３２の記録容量の残容量の情報を吸い上げて判断する。
【００７１】
また、ディスク３２を取り出す契機だけではなく、本装置でカメラ録画時に録画ポーズ（録画一時停止）を操作スイッチ１８から操作したとき、残容量が所定値以下の場合には、図１１を表示してファイナライズ処理の実行を促す構成とする。
【００７２】
さらには、録画中にディスク３２の残容量が無くなったときにも図１２のステップ１６２と同様に、図１１を表示してファイナライズ処理の実行を促す構成とする。
【００７３】
次に、ファイナライズ処理時間の短縮に関しての一実施例を図１および図１４、図１５を用いて説明する。通常のカメラ録画時には図１４に示される如く、カメラ部３８で撮影した信号を出力部３９にて映像／音声信号を圧縮し撮影情報６４として、制御部４０内のバッファメモリ（Ｄ−ＲＡＭ１５）のバッファ入力６５として供給する。一方、ディスク３２を装填した記録再生部４１は、通常上記カメラ部３８で撮影したリアルタイム映像を記録する為に充分に高い記録転送レートの状態でディスク３２を駆動する。特に、携帯機器では大きな振動などにより安定な記録が出来ない状態が発生した場合には、再度同じ情報をディスク３２上の同一個所または異なる個所に記録する必要があり、これらの点を考慮して上記バッファメモリ（Ｄ−ＲＡＭ２５）を充分に大きな容量を確保して置くと共に、ディスク３２上への記録転送レートを上気入力信号となる撮影情報６４レートに対して高く設定する。図１４では、約２倍を例に示している。すなわち、上気バッファメモリ（Ｄ−ＲＡＭ１５）からのバッファ出力６６は間欠的に、上気バッファ入力６５の約２倍のデータレートで読み出されて、この情報をディスク３２上に記録する。このときの媒体記録６７のＯＮ／ＯＦＦ状態は図１４に示す如く約１／２期間だけ記録状態となる。
【００７４】
一方、ファイナライズ処理におけるディスク３２上への記録は、上気カメラ録画と異なり、リアルタイム記録の必然性がない。また、この処理時間は使い勝手上からも、消費電力の点からも短時間に完了するほうが良い。そこで、図１５に示す如く、信号／制御処理回路２４などで作られるリードアウト記録データ６８をディスク３２上へ媒体記録６９に示す如く連続的（ＯＮ状態）に記録することで、カメラ録画時に比較して平均記録転送レートを高くして、ファイナライズ処理時間を短縮する。ここでは、リードアウトエリアの記録データについて述べたが、他の記録管理データおよびリードインエリアのデータに付いても同様である。
【００７５】
また、本説明では、最大記録転送レートを同じとして説明したが、もちろん、ファイナライズ処理時のディスク３２の回転数を上げて最大転送レートをさらに早くして、処理時間の短縮および消費電力を低減しても良い。
【００７６】
次に、本発明の他の実施例を図１６を用いて説明する。同図で図１と同じまたは同等機能部分には同一符号を記す。７１はＣＰＵ、７２は表示部、７３は操作部、７４は音声処理用ＤＳＰ、７５はスピーカ、７６は情報伝送路インターフェース、７７はＲＯＭ、７８はＲＡＭ、７９はフラッシュメモリ（Ｆ−ＲＡＭ）、８０は入出力部をそれぞれ示す。
【００７７】
本装置は、記録再生部４１を有した携帯型情報処理装置を示す。携帯型の情報処理装置の記録再生部４１に挿抜可能なディスク３２型記録媒体を採用し、リアルタイム記録が必要な入出力部８０を有する場合には、図１に示したカメラ一体型記録装置と同様に、簡易フォーマットでリアルタイムで記録して、後からファイナライズ処理を実行して、たとえば、他の再生装置（ビュワー装置）にて再生可能な互換フォーマットに編集することが考えられる。このような動作においては、図１に示したカメラ一体型記録装置と同様な課題および解決手段が有効になる。
【００７８】
同図の入出力部８０は、マイク１とオーディオ入力処理回路２により音声信号を取り込み、レンズユニット５と撮像センサー（ＣＣＤ）６およびカメラ映像信号処理回路７により映像信号を取り込む。また、情報伝送路インターフェース７６により外部の機器やネットワークとの間で、映像・音声・データなどを含むマルチメディア情報を入出力する。これらの入出力部８０より取り込まれた情報をＣＰＵ７１にて処理・加工して、バッファメモリ（ＲＡＭ７８）に一時記憶する。これらの情報が所定量に達したらインターフェース回路１９を介して記録再生部４１に記録する。また、ユーザーは操作部７３を操作して、本装置の動作を制御する。また、本装置の状態は表示部７２によりユーザーに開示される。その他の各部の動作は基本的に図１の動作と同様に動作する。本装置に対しても、図２〜図１５に示した各動作が適用される。
【００７９】
【発明の効果】
以上述べたことから明らかなように本発明は、情報記録装置の電源がファイナライズ処理に充分なバッテリー残量を有しているかまたは他の電源が供給されていることを確認することや、この期間の装置の省電力化を図ることや、この期間に電源供給不足が生じた場合などの処理終了手段を設けることにより、確実なファイナライズ処理を実現できるという効果が有る。
【００８１】
また、ファイナライズ処理時間を短縮する手段を設けているので、処理時間を短縮できるという効果がある。
【００８２】
さらには、これらの記録再生装置をカメラ一体型記録装置や携帯型情報処理装置に適用し、携帯機器としての操作性の向上と挿抜可能なディスクの他の機器での互換再生性能が得られるという効果がある。
【図面の簡単な説明】
【図１】本発明の一実施例の回路ブロック図である。
【図２】本発明の一実施例に使用されるディスクのデータ構造を示す模式図である。
【図３】本発明の一実施例の主要部の動作フローチャート図である。
【図４】本発明の一実施例の他の主要部の動作フローチャート図である。
【図５】本発明の一実施例の主要部の別な動作フローチャート図である。
【図６】本発明の一実施例の主要部の別な動作フローチャート図である。
【図７】本発明の一実施例の主要部の別な動作フローチャート図である。
【図８】本発明の一実施例の一部の具体的な一表示例を示す画面図である。
【図９】本発明の一実施例の一部の別な具体的な一表示例を示す画面図である。
【図１０】本発明の一実施例の他の主要部の動作フローチャート図である。
【図１１】本発明の一実施例の別の一部の具体的な一表示例を示す画面図である。
【図１２】本発明の一実施例の他の主要部の動作フローチャート図である。
【図１３】本発明の一実施例の主要部の別な動作フローチャート図である。
【図１４】本発明の一実施例の主要部の動作を示す模式波形図である。
【図１５】本発明の一実施例の主要部の異なる動作を示す模式波形図である。
【図１６】本発明の第２の一実施例の回路ブロック図である。
【符号の説明】
１…マイク、２…オーディオ入力処理回路、５…レンズユニット、
６…撮像センサー（ＣＣＤ）、７…カメラ映像信号処理回路、
８…映像／音声の圧縮／伸張処理回路、
９…映像表示／出力処理回路、１０…表示手段（ＬＣＤ）、
１１…ドライバ、１２…デジタル音声／映像入力端子、
１５…Ｄ−ＲＡＭ、１６…制御マイコン、
１８…操作スイッチ（ＳＷ）、１９…インターフェース回路、
２０…外部電源入力端子、２１…充電回路、２２…バッテリー、
２３…電源回路（ＤＣ−ＤＣコンバータ）、
２４…信号／制御処理回路、２５…Ｄ−ＲＡＭ、
２８…制御マイコン、２９…記録回路、３０…再生回路、
３１…ピックアップ、３２…ディスクメディア、
３３…スピンドルモータ、３４…送りモータ、
３５…アクチュエータドライバ、３７…スイッチ回路、
３８…カメラ部、３９…出力部、４０…制御部、
４１…記録再生部、６１〜６３…表示画面、
６４〜６９…波形、７１…ＣＰＵ、７２…表示部、
７３…操作部、７６…情報伝送路インターフェース、
７８…ＲＡＭ、８０…入出力部。
【図１】
0003539414.tif 000003
【図２】
0003539414.tif 000004
【図３】
0003539414.tif 000005
【図４】
0003539414.tif 000006
【図５】
0003539414.tif 000007
【図６】
0003539414.tif 000008
【図７】
0003539414.tif 000009
【図８】
0003539414.tif 000010
【図９】
0003539414.tif 000011
【図１０】
0003539414.tif 000012
【図１１】
0003539414.tif 000013
【図１２】
0003539414.tif 000014
【図１３】
0003539414.tif 000015
【図１４】
0003539414.tif 000016
【図１５】
0003539414.tif 000017
【図１６】
0003539414.tif 000018